(57)【要約】【課題】操作に対する煩わしさを使用者に感じさせることを防止できるストロー付き飲料容器を提供する。【解決手段】ストロー付き飲料容器１は、容器本体２Ａの内外を閉鎖する閉状態とその内外を連通する開状態との間で状態を変更でき、押し込みを受け付けることにより閉状態から開状態へ移行するとともに、押し込み操作が解除されることにより開状態から閉状態へ復帰する開閉弁２０と、ロック位置から解除位置へ向かうロック部材１６の動作を開閉弁２０に対する押し込み操作として伝達し、かつストローキャップ９が開位置に位置した状態で開閉弁２０に対する押し込み操作が解除されるように開閉弁２０から離間する伝達部材３０と、を備えている。【選択図】図１
2011057250.tif 000002
【特許請求の範囲】
【請求項１】
開口部を持つ容器本体と、前記開口部を塞ぐようにして前記容器本体に装着されたストローアダプタとを備え、前記容器本体内の飲料を吸入するためのストローが前記ストローアダプタに装着されたストロー付き飲料容器において、
前記ストローを隠す閉位置と前記ストローを露出させる開位置との間で動作可能な状態で前記ストローアダプタに取り付けられたストローキャップと、
前記ストローキャップを前記閉位置にロックするロック位置と、そのロックを解除する解除位置との間で動作可能なロック部材と、
前記容器本体の内外を閉鎖する閉状態と前記容器本体の内外を連通する開状態との間で状態を変更でき、所定操作を受け付けることにより前記閉状態から前記開状態へ移行するとともに、前記所定操作が解除されることにより前記開状態から前記閉状態へ復帰する開閉弁と、
前記ロック位置から前記解除位置へ向かう前記ロック部材の動作を前記開閉弁に対する前記所定操作として伝達し、かつ前記ストローキャップが前記開位置に位置した状態で前記開閉弁に対する前記所定操作が解除されるように前記開閉弁から離間する伝達部材と、
を備えることを特徴とするストロー付き飲料容器。
【請求項２】
前記開閉弁は、前記所定操作としての押し込み操作が前記伝達部材にて行われたときに弾性変形し得る弾性材料にて構成された弁体を有し、前記弁体は、前記押し込み操作による弾性変形によって前記開状態に移行し、かつ前記押し込み操作の解除による弾性変形の解消によって前記開状態から前記閉状態へ復帰するように構成されている、請求項１に記載の飲料容器。
【請求項３】
前記弁体は、前記容器本体の内外を区画する板部と、前記板部の周囲を保持するとともに前記押し込み操作を受け付け得る筒状の保持部とが一体化されており、前記板部には、前記押し込み操作の操作方向と同方向に延びて板厚方向に貫通するスリットが形成されている、請求項２に記載の飲料容器。
【請求項４】
前記板部は、前記容器本体の内部側に向かって凸となる曲面状に形成されている、請求項３に記載の飲料容器。
【請求項５】
前記ストローは前記弁体と同一材料で構成された吸い口部を有し、前記吸い口部と前記弁体とが一体化されている、請求項２に記載の飲料容器。
【請求項６】
前記ストローキャップは、支持軸を介して回転自在に前記ストローアダプタに取り付けられることにより前記閉位置と前記開位置との間で動作でき、
前記ロック部材は、前記ロック位置と前記解除位置との間で動作可能な状態で前記ストローキャップに設けられ、
前記伝達部材は、前記ロック部材と一体移動可能な状態で前記ロック部材に設けられている、請求項１〜５のいずれか一項に記載の飲料容器。
【発明の詳細な説明】
【技術分野】
【０００１】
本発明は飲料を吸入するためのストローが装着されたストロー付き飲料容器に関する。
【背景技術】
【０００２】
従来から幼児等を使用者として想定されたストロー付き飲料容器が周知である。このような飲料容器には外部に露出するストローが未使用時に閉塞されるようにストローを折り曲げた状態で隠すことができるストローキャップが設けられている。そのストローキャップが使用時に開かれるとストローの閉塞が解除されるので、容器に収められた飲料をストローを用いて使用者が飲むことができる。
【０００３】
ところが、外気よりも温度が高い湯等の暖かい飲料が容器に収められている場合には密閉された容器の内圧が高まる。そのため、ストローキャップが開かれると、その開放と同時に閉塞が解除されるストローから飲料が噴出する場合がある。そこで、ストロー付き飲料容器には内圧を外部に逃がすための開閉弁が設けられていることが一般的である。
【０００４】
例えば、このような開閉弁を備えたストロー付き飲料容器として、ストローキャップを閉状態に保持するロック部材と容器に設けられた空気孔を開閉する開閉弁の弁体とが一体化され、ロック部材の操作によってストローキャップのロックが解除されたときに空気孔が弁体にて開かれることにより内圧を逃がすことができる飲料容器が知られている（特許文献１）。
【先行技術文献】
【特許文献】
【０００５】
【特許文献１】特開２００２−３２１７４１号公報
【発明の概要】
【発明が解決しようとする課題】
【０００６】
特許文献１の飲料容器は、ストローキャップのロックを解除するロック部材の操作によって内圧を逃がすことができるが、一旦開かれた空気孔を閉じるにはロック部材をストローキャップが開かれた状態で再度操作することが必要になる。つまり、ストローキャップが開かれて飲料を飲むことが可能になった後に空気孔を閉じるためのロック部材の操作を使用者に強いることになる。そのため、ロック部材に対する操作が使用者にとって煩わしいものになるおそれがある。また、ストローキャップが開かれた後に行うべきロック部材の操作を使用者が忘れた場合には空気孔が開かれたままになるので、例えば飲料容器を傾けて使用する際に空気孔からの飲料の漏れを誘発するおそれがある。
【０００７】
そこで、本発明は、操作に対する煩わしさを使用者に感じさせることを防止できるストロー付き飲料容器を提供することを目的とする。
【課題を解決するための手段】
【０００８】
以下、本発明のストロー付き飲料容器について説明する。なお、本発明の理解を容易にするために添付図面の参照符号を括弧書きにて付記するが、それにより本発明が図示の形態に限定されるものではない。
【０００９】
本発明のストロー付き飲料容器（１、１Ａ〜１Ｅ）は、開口部（２ａ）を持つ容器本体（２）と、前記開口部を塞ぐようにして前記容器本体に装着されたストローアダプタ（３、３Ａ〜３Ｅ）とを備え、前記容器本体内の飲料を吸入するためのストロー（６）が前記ストローアダプタに装着されたストロー付き飲料容器において、前記ストローを隠す閉位置と前記ストローを露出させる開位置との間で動作可能な状態で前記ストローアダプタに取り付けられたストローキャップ（９、９Ａ〜９Ｅ）と、前記ストローキャップを前記閉位置にロックするロック位置と、そのロックを解除する解除位置との間で動作可能なロック部材（１６、１６Ａ〜１６Ｅ）と、前記容器本体の内外を閉鎖する閉状態と前記容器本体の内外を連通する開状態との間で状態を変更でき、所定操作を受け付けることにより前記閉状態から前記開状態へ移行するとともに、前記所定操作が解除されることにより前記開状態から前記閉状態へ復帰する開閉弁（２０、２０Ｅ、５０）と、前記ロック位置から前記解除位置へ向かう前記ロック部材の動作を前記開閉弁に対する前記所定操作として伝達し、かつ前記ストローキャップが前記開位置に位置した状態で前記開閉弁に対する前記所定操作が解除されるように前記開閉弁から離間する伝達部材（３０、３０Ａ〜３０Ｅ）と、を備えることにより、上述した課題を解決する。
【００１０】
この飲料容器によれば、ロック部材のロック位置から解除位置へ向かう動作によって開閉弁が閉状態から開状態へ移行し、かつストローキャップが開位置に位置した状態で所定操作が解除されるので開閉弁が開状態から閉状態へ復帰する。そのため、ストローキャップに対するロックの解除により内圧を逃がすことができるとともに、ストローキャップが開かれた後には開閉弁が自動的に閉状態になる。従って、ストローキャップを開く際に使用者が特に意識せずに内圧を逃がすことができ、しかもストローキャップが開かれた後にロック部材に対する操作をしなくても開閉弁を通じた飲料漏れを防止できる。よって、使用時に必要な操作に対する煩わしさを使用者に感じさせることを防止できる。
【００１１】
開閉弁の構造や材質について格別の制限はない。例えば、前記開閉弁は、前記所定操作としての押し込み操作が前記伝達部材にて行われたときに弾性変形し得る弾性材料にて構成された弁体（２１、２１Ｅ）を有し、前記弁体は、前記押し込み操作による弾性変形によって前記開状態に移行し、かつ前記押し込み操作の解除による弾性変形の解消によって前記開状態から前記閉状態へ復帰するように構成されていてもよい。この態様によれば、複数の部品で開閉弁を構成しなくても、弾性材料で構成された弁体の弾性変形を利用して開状態と閉状態とを変更できるから部品点数を容易に削減できる。
【００１２】
この態様において、前記弁体は、前記容器本体の内外を区画する板部（２５）と、前記板部の周囲を保持するとともに前記押し込み操作を受け付け得る筒状の保持部（２６）とが一体化されており、前記板部には、前記押し込み操作の操作方向と同方向に延びて板厚方向に貫通するスリットが形成されていてもよい。この場合、弁体に対して外力が加わらない状態ではスリットが閉じられることにより弁体は閉状態に維持される。弁体の保持部に対して押し込み操作が行われるとその押し込み操作に伴って板部が変形する。その板部の変形によってスリットの両端間距離が短くなるのでスリットが開かれて閉状態から開状態へ移行する。こうした押し込み操作が解除された場合、弁体の弾性変形が解消して板部及び保持部の両者が元の状態に戻るのでスリットが閉じられて閉状態に復帰できる。
【００１３】
この板部の形状は任意であるが、例えば、前記板部は、前記容器本体の内部側に向かって凸となる曲面状に形成されていてもよい。この場合には、板部を境にして容器本体の内部側の圧力が大気圧よりも高い圧力差が生じた場合、弁体にはスリットを密着させる方向に板部を変形させる力が作用する。そのため、内圧が大気圧より高い圧力差が生じた場合には容器本体の内から外に向かう方向の流体の通過が阻止される。従って、弁体が閉状態に保持されていれば容器本体から外部への飲料の漏れを確実に防止できる。一方、板部を境にして容器本体の内部側の圧力が大気圧よりも低い圧力差が生じた場合、つまり内圧が負圧になった場合、弁体にはスリットを開く方向に板部を変形させる力が作用する。そのため、内圧が大気圧力も低い圧力差が生じた場合には容器本体の外から内に向かう方向の流体の通過を許容することができる。従って、ストローによる飲料の吸入に伴って容器本体内の飲料量が減っていく過程で内圧が負圧になることがあるが、その場合でもその負圧の大きさがスリットが開かれる限界を超えれば弁体を介して外気が容器本体内に取り込まれる。そのため、ストローを用いて飲料を吸入する使用者に多大な吸引力が要求されることがないので使用者の負担を軽減できる。
【００１４】
弾性材料で構成された弁体を有する場合、前記ストローは前記弁体と同一材料で構成された吸い口部（７）を有し、前記吸い口部と前記弁体とが一体化されていてもよい。この場合には、ストローキャップが閉じられた際に吸い口部が容易に弾性変形できる。しかもその吸い口部と弁体とが一体化されているので部品点数を削減できる。
【００１５】
本発明の飲料容器の一態様において、前記ストローキャップは、支持軸（１０）を介して回転自在に前記ストローアダプタに取り付けられることにより前記閉位置と前記開位置との間で動作でき、前記ロック部材は、前記ロック位置と前記解除位置との間で動作可能な状態で前記ストローキャップに設けられ、前記伝達部材は、前記ロック部材と一体移動可能な状態で前記ロック部材に設けられていてもよい。この態様によれば、ロック部材をロック位置から解除位置に向かって動作させてからストローキャップを閉位置から開位置へ動作させることにより、ストローキャップととともにロック部材と伝達部材とがストローアダプタから離れる方向に動作する。このため、伝達部材を開閉弁から離間させるために特別な装置を設けなくても、閉位置から開位置へ向かうストローキャップの動作を利用することによって伝達部材を開閉弁から容易に離間させることができる。
【発明の効果】
【００１６】
以上説明したように、本発明の飲料容器によれば、ロック部材のロック位置から解除位置へ向かう動作によって開閉弁が閉状態から開状態へ移行し、かつストローキャップが開位置に位置した状態で所定操作が解除されるので開閉弁が閉状態から開状態へ復帰するので、ストローキャップを開く際に使用者が特に意識せずに内圧を逃がすことができ、しかもストローキャップが開かれた後にロック部材に対する操作をしなくても開閉弁を通じた飲料漏れを防止できる。従って、使用時に必要な操作に対する煩わしさを使用者に感じさせることを防止できる。
【図面の簡単な説明】
【００１７】
【図１】本発明の一形態に係るストロー付き飲料容器の一部を切断して示した側断面図。
【図２】図１に示された飲料容器の平面図。
【図３Ａ】開閉弁の弁体を上方から見た状態を拡大して示した説明図であって、その閉状態を示した図。
【図３Ｂ】開閉弁の弁体を上方から見た状態を拡大して示した説明図であって、その開状態を示した図。
【図４Ａ】ロック部材に対する操作が開始されてからロック部材と拘束部の噛み合いが解除されるまでの間の状態を示した図であって、その状態の平面図。
【図４Ｂ】ロック部材に対する操作が開始されてからロック部材と拘束部の噛み合いが解除されるまでの間の状態を示した図であって、その状態の側断面図。
【図５Ａ】ロック部材と拘束部との噛み合いが解除された状態を示した図であって、その状態の平面図。
【図５Ｂ】ロック部材と拘束部との噛み合いが解除された状態を示した図であって、その状態の側断面図。
【図６】ストローキャップが開位置側に開かれた状態を示した側断面図。
【図７】開状態保持機構により開閉弁の開状態への保持が解除された状態を示した一部側断面図。
【図８】開状態保持機構により開閉弁の開状態が保持された状態を示した一部側断面図。
【図９】図８に示した状態からストローキャップが閉位置に操作された後の状態を示した一部側断面図。
【図１０】第１の変形例を模式的に示した説明図。
【図１１】第２の変形例を模式的に示した説明図。
【図１２】第３の変形例を模式的に示した説明図。
【図１３】第４の変形例を模式的に示した説明図。
【図１４】第５の変形例を模式的に示した説明図。
【図１５】開閉弁の他の形態を示した説明図。
【発明を実施するための形態】
【００１８】
図１は本発明の一形態に係るストロー付き飲料容器の一部を切断して示した側断面図であり、図２は図１に示された飲料容器の平面図である。これらの図に示したように、ストロー付き飲料容器（以下、飲料容器という。）１は、開口部２ａを持ち飲料を保持し得る容器本体２と、開口部２ａを塞ぐようにして容器本体２に装着されたストローアダプタ３とを備えている。容器本体２には使用者が飲料容器１を持ち易くするために所定形状のハンドルＨが一体的に形成されている。容器本体２の上部外周部には雄ねじ４が設けられており、ストローアダプタ３の内周部にはその雄ねじ４に噛み合う雌ねじ５が設けられている。ストローアダプタ３は各ねじ４、５を互いに噛み合わせた状態で容器本体２にねじ込まれることにより容器本体２に装着されている。ストローアダプタ３には容器本体２内に収められた飲料を吸入するためのストロー６が装着されている。ストロー６は、可撓性を有し使用者に咥えられる吸い口部７と、容器本体２内に収まっている本体部８とが互いに連結されることにより構成されている。吸い口部７と本体部８とは互いに異種材料で構成されている。吸い口部７は弾性変形が容易なシリコーン樹脂にて構成されており、それに連結される本体部８はプラスチックで構成されている。
【００１９】
ストローアダプタ３には、ストロー６を隠す閉位置（図１参照）とストロー６を露出させる開位置（図７参照）との間で動作可能な状態でストローキャップ９が取り付けられている。ストローキャップ９は支持軸１０を介して回転自在にストローアダプタ３に取り付けられることにより閉位置と開位置との間で動作できる。ストローキャップ９には、閉位置において折り曲げられた状態のストロー６を潰して閉塞させるための突起部１１が設けられており、その突起部１１はストローキャップ９が閉位置にあるときにストロー６を潰すことができるように飲料容器１の下方に突出している。
【００２０】
飲料容器１には、ストローキャップ９を閉位置でロックできるようにするためロック機構１５が設けられている。ロック機構１５は、ストローキャップ９を閉位置でロックするロック位置（図１、２）とそのロックを解除する解除位置（図５Ａ、図５Ｂ）との間で動作可能な状態でストローキャップ９に取り付けられたロック部材１６と、そのロック部材１６がロック位置にあるときにロック部材１６とストローアダプタ３とを噛み合わせる拘束部１７（図２）と、ロック部材１６をロック位置側に付勢するリターンばね１８とを備えている。
【００２１】
ロック部材１６はロック位置から解除位置まで水平方向に（図１の左右方向に）スライド可能である。ロック部材１６はストローキャップ９の上面に形成された開口部９ａから一部が露出しており、その露出した部分には使用者にて操作され得る操作部１９が形成されている。拘束部１７はロック部材１６の動作方向と同方向に延びる溝状に構成されていて、その溝の長さはロック部材１６が解除位置に達したときにロック部材１６とストローアダプタ３との噛み合いが解除される長さを有している（図５Ａ参照）。リターンばね１８はシリコーン樹脂により構成されていて、ロック部材１６が使用者にて解除位置まで操作されて離されるとリターンばね１８の弾性力によりロック部材１６はロック位置まで復帰できる。
【００２２】
飲料容器１には、内圧を外部に逃がすことができるようにするため、容器本体２の内外を閉鎖する閉状態と、容器本体２の内外を連通する開状態との間で状態を変更できる開閉弁２０が設けられている。開閉弁２０は、弾性変形可能な弾性材料で構成された弁体２１を備えている。弁体２１はストローアダプタ３に形成された貫通孔２２に密着状態でストローアダプタ３に装着されている。飲料容器１においては、弁体２１はストロー６の吸い口部７と同一材料であるシリコーン樹脂で構成され、かつ吸い口部７と一体に構成されている。飲料容器１は吸い口部７と弁体２１とが一体化されているので部品点数の削減に寄与できる。
【００２３】
図３Ａ及び図３Ｂは弁体２１を上方から見た状態を拡大して示した説明図であり、図３Ａはその閉状態を、図３Ｂはその開状態をそれぞれ示している。これらの図にも示したように、弁体２１は容器本体２の内外を区画する板部２５と、その板部２５の周囲を保持する筒状の保持部２６とを備えており、板部２５には板厚方向に貫通するスリット２７が形成されている。図３Ａの場合には、弁体２１に対して外力が加わっていないためスリット２７が密着状態で閉じられるので閉状態に維持される。図３Ｂに示すように、弁体２１の保持部２６に対して矢印方向に所定操作である押し込み操作が行われるとその押し込み操作に伴って板部２５が弾性変形する。スリット２７は押し込み操作の操作方向に延びている。このため、板部２５の弾性変形によってスリット２７の両端間距離Ｘが図３Ａの閉状態に比べて短くなるので、スリット２７が図示のように開かれて閉状態から開状態へ移行する。その押し込み操作が解除された場合、弁体２１の弾性変形が解消して板部２５及び保持部２６の両者が元の状態に戻るのでスリット２７が閉じられて図３Ａの閉状態に復帰できる。
【００２４】
このような開閉弁２０の弁体２１に対する押し込み操作と、上述したロック機構１５のロック部材１６の動作とを連係させるため、図１に示すように、飲料容器１には、ロック部材１６のロック位置から解除位置へ向かう動作を開閉弁２０に対する押し込み操作として開閉弁２０に伝達する伝達部材３０が設けられている。伝達部材３０はロック部材２１と一体に設けられている。つまり伝達部材３０はロック部材１６と一体移動可能である。
【００２５】
図４Ａ〜図６は、図１及び図２の状態からロック部材１６が解除位置側に操作されてからストローキャップ９が開位置側に開かれるまでの飲料容器１の各部の動作を説明している。図４Ａ及び図４Ｂはロック部材１６に対する操作が開始されてからロック部材１６と拘束部１７の噛み合いが解除されるまでの間の状態を示しており、図４Ａはその状態の平面図、図４Ｂはその状態の側断面図である。図５Ａ及び図５Ｂはロック部材１６と拘束部１７との噛み合いが解除された状態を示しており、図５Ａはその状態の平面図、図５Ｂはその状態の側断面図である。図６はストローキャップ９が開位置側に開かれた状態を示した側断面図である。
【００２６】
ロック部材１６に対する操作がなされていない図１及び図２の状態では、伝達部材３０と開閉弁２０（弁体２１）とは離れていて弁体２１が閉状態であり、かつストローキャップ９が閉位置にあってストロー６が閉塞されているため容器本体２は密封されている。この状態から、図４Ａ及び図４Ｂに示すようにロック部材１６の操作が開始されてロック部材１６が解除位置側に少し動くことによって伝達部材３０が弁体２１の保持部２６に突き当たり弁体２１の弾性変形が開始する。つまり、伝達部材３０によって弁体２１に対して押し込み操作が開始されスリット２７が開き始まる。そのため、弁体２１を通じて容器本体２内の空気が矢印方向に流れ始めて飲料容器１の内圧の減少が開始する。
【００２７】
続いて、図５Ａ及び図５Ｂに示すように、ロック部材１６が解除位置まで動作すると、ロック部材１６と拘束部１７との噛み合いが解除されてストローキャップ９のロックが解除される。それと並行して、弁体２１が伝達部材３０によって更に押し込まれて弁体２１の変形が最大となる結果、スリット２７の開き具合も最大となる。それにより、ストロー６が閉鎖された状態で飲料容器１の内圧が完全に逃がされる。図５Ａ及び図５Ｂに示したようにロック部材１６を解除位置に維持されている間はストローキャップ９の拘束が解かれているので、ストローキャップ９を閉位置から開位置側へ動作させることができる。
【００２８】
図６に示すように、ストローキャップ９の開位置側への動作に伴って、ストローキャップ９と一緒に移動する伝達部材３０が弁体２１から離間するので、弁体２１に対して伝達部材３０にて行われていた押し込み操作が解除される。その押し込み操作の解除により弁体２１の弾性変形が解消して元の状態に戻り（図３Ａ参照）、弁体２１は自動的に閉状態に復帰する。そして、ストローキャップ９の開位置側への動作によりストローキャップ９によるストロー６の閉塞が解除されてストロー６の吸い口部７が真っ直ぐに伸びた状態になりストロー６の使用が可能となる。
【００２９】
このように、飲料容器１によれば、使用者がストローキャップ９のロックを解除してからストローキャップ９を開位置側へ開く過程で内圧を確実に逃がすことができる。しかも、ストローキャップ９が開かれてストロー６の使用が可能になった段階では開閉弁２０が自動的に閉状態に復帰しているので、使用者が意識して開閉弁２０に対して格別の操作を行うことなく使用時における開閉弁２０からの飲料漏れを防止できる。従って、使用時に必要な操作に対する煩わしさを使用者に感じさせることを防止できる。また、飲料容器１は、伝達部材３０がストローキャップ９に設けられたロック部材１６と一体移動可能な状態でロック部材１６に設けられているから、弁体２１に対して押し込み操作を行っている最中の伝達部材３０を開閉弁２０（弁体２１）から離間させるために特別な装置を設けなくても閉位置から開位置へ向かうストローキャップ９の動作を利用することにより、伝達部材３０を開閉弁２０から容易に離間させることができる。
【００３０】
飲料容器１の開閉弁２０は、複数の部品で構成する場合と異なり、弾性材料で構成された単一の弁体２１の弾性変形を利用して開状態と閉状態とを変更できるから部品点数を容易に削減できる。その他にも、開閉弁２０は以下に説明する更なる特徴を有している。
【００３１】
図１及び図６等に示すように、開閉弁２０は、その弁体２１の板部２５が容器本体２の内部側に向かって凸となる曲面状に、より具体的には球面状に形成されている。そのため、板部２５を境にして容器本体２の内部側の圧力が大気圧よりも高い圧力差が生じた場合、弁体２１にはスリット２７を密着させる方向に板部２５を変形させる力が作用する。そのため、このような圧力差が生じた場合には容器本体２の内から外に向かう方向の流体の通過が阻止される。従って、弁体２１が閉状態に保持されていれば容器本体２から外部への飲料の漏れを確実に防止できる。一方、板部２５を境にして容器本体２の内部側の圧力が大気圧よりも低い圧力差が生じた場合、つまり内圧が負圧になった場合、弁体２１にはスリット２７を開く方向に板部２５を変形させる力が作用する。そのため、このような圧力差が生じた場合には容器本体２の外から内に向かう方向の流体の通過を許容することができる。従って、ストロー６による飲料の吸入に伴って容器本体２内の飲料量が減っていく過程で内圧が負圧になることがあるが、その場合でもその負圧の大きさがスリット２７が開かれる限界を超えれば弁体２１を介して外気が容器本体２内に取り込まれる。そのため、ストロー６を用いて飲料を吸入する使用者に多大な吸引力が要求されることがないので使用者の負担を軽減できる。
【００３２】
飲料容器１には、夏場等の外気温が高い状況でのストロー６からの飲料漏れを防止するため、ストローキャップ９が開位置に位置している状態で開閉弁２０を開状態に保持させる開状態保持機構４０が設けられている。図７〜９は開状態保持機構４０の機能を説明するための説明図である。図７は開状態保持機構４０により開閉弁２０の開状態への保持が解除された状態を示した一部側断面図、図８は開状態保持機構４０により開閉弁２０の開状態が保持された状態を示した一部側断面図、図９は図８に示した状態からストローキャップ９が閉位置に操作された後の状態を示した一部側断面図である。
【００３３】
図７に示すように、閉状態保持機構４０は、ストローアダプタ３に設けられた係合部４１と、その係合部４１への係合及びその解除によって弁体２１に対する押し込み操作の実施及びその解除とを切り替え得る操作部材４２とを備えている。係合部４１は弁体２１に隣接するように設けられかつ弁体２１に接近する側に突出するように構成されている。操作部材４２は係合部４１と向かい合う方向に突出するようにして保持部２６の外周に固定されている。操作部材４２は弁体２１と同一の弾性材料で構成され、かつ弁体２１と一体に設けられている。弁体２１と操作部材４２とが一体化されているため、これらを単一の加工で形成することが容易であり、しかも部品点数の削減に貢献できるから組立ての手間を軽減できる。また、操作部材４２には容器本体２の上方に突出し、ストローキャップ９と当接可能な当接部４２ａが形成されている。
【００３４】
ストローキャップ９が開位置に位置した状態で、使用者が筒状の保持部２６の図７における上方左端部を同図の左方に動かすと、その弾性により操作部材４２が上方に持ち上げられ、操作部材４２は係合部４１に乗り上がることにより係合部４１に係合する（図８）。操作部材４２の基端部が保持部２６の外周に固定されているため、操作部材４２が上方に持ち上げられると保持部２６が傾くように変形する。つまり、操作部材４２が係合部４１に係合することによって、弁体２１に対して押し込み操作が加えられ、かつその操作が維持される。図８から明らかなように、この押し込み操作は上述した伝達部材３０による操作とは逆向きに加えられることになるが、操作部材４２による押し込み操作によってもスリット２７がその操作方向に延びているので、図３Ｂに示した場合と同様にスリット２７が開かれて弁体２１は開状態となる。操作部材４２が係合部４１に係合している限りにおいて弁体２１は開状態に維持されるので、ストローキャップ９が開かれた状態で外気温が上昇した場合でも、容器本体２の内外が連通することによって内圧を常時逃がすことができるので、飲料がストロー６を通じて漏れることを防止できる。
【００３５】
弁体２１が開状態に維持されたままでストローキャップ９を開位置から閉位置へ動作すると、図９に示したように操作部材４２に形成された当接部４２ａがストローキャップ９に接触して操作部材４２が下方に押し下げられる。これにより、操作部材４２の係合部４１との係合が解除されるため操作部材４２による押し込み操作が解除される。押し込み操作の解除により弁体２１の弾性変形が解消されて弁体２１が元の状態に戻るので、弁体２１は開状態から閉状態へ復帰し飲料容器１が密封される。即ち、弁体２１が開状態のままでストローキャップ９が閉位置とされることを確実に防止できる。
【００３６】
飲料容器１が開状態保持機構４０を備えているため、弁体２１を開状態にしていた後に使用者が特に意識しなくてもストローキャップ９を閉じるだけで持ち運び時等に弁体２１を通じて飲料が漏れることを防止できる。このように、飲料容器１においては、使用者に要求される操作機会が従来よりも減るので、操作に対する煩わしさを使用者に感じさせることを防止できる。なお、開状態保持機構４０は、係合部４１がストローアダプタ３に設けられているが、この係合部４１をストローキャップ９に設けることもできる。即ち、図７の位置と同一位置となるように係合部４１をストローキャップ９に設ければ、その係合部４１に操作部材４２が乗り上げた状態状態でストローキャップ９が閉位置側へ動作することにより係合部４１が下方に回転移動するので、操作部材４２と係合部４１との係合を解除させることができる。
【００３７】
本発明は、上記形態に限定されず本発明の要旨の範囲内において種々の形態にて実施できる。上述したロック部材１６はストローキャップ９に設けられていて、その動作として直線的にスライドするものである。また、伝達部材３０はロック部材１６と一体移動可能に設けられている。しかしながら、本発明の飲料容器を実施するにあたっては、ロック部材の設置場所や動作形態、伝達部材の構成等を任意に変更できる。例えば、図１０〜１４に示した第１〜第５の変形例によって本発明を実施することができる。なお、以下の各変形例の説明において、図１〜図９に示した形態と同様の機能を持つ構成については特別の事情がない限り同一の参照符号を図面に付して説明を省略する。
【００３８】
図１０は第１の変形例を模式的に示した説明図である。図示するように、第１の変形例に係る飲料容器１Ａには、ストローキャップ９Ａをロックするためのロック機構１５Ａが設けられており、そのロック機構１５Ａは図示のロック位置と解除位置との間でスライド動作可能な状態でストローアダプタ３Ａに取り付けられたロック部材１６Ａを有している。ロック機構１５Ａは、ロック部材１６Ａがロック位置にあるときに、ロック部材１６Ａとストローキャップ９Ａとを噛み合わせる拘束部１７Ａと、ロック部材１６Ａをロック位置側に付勢するリターンばね１８Ａとを備えている。ロック部材１６Ａにはその下方に突出するように構成された伝達部材３０Ａが一体に設けられている。従って、飲料容器１Ａは、ロック部材１６Ａが矢印方向に動作されて解除位置に達すると、伝達部材３０Ａが開閉弁２０の弁体２１を弾性変形させることができる。そして、ロック部材１６Ａが解除位置まで動作することによって、ストローキャップ９Ａの拘束が解かれるので、ストローキャップ９Ａを開位置の側に動作させることができる。ストローキャップ９Ａが開位置に位置した状態でロック部材１６Ａはリターンばね１８Ａにより図示の位置に戻されるので、伝達部材３０Ａが開閉弁２０から離間する。これにより、開閉弁２０の弁体２１に対する伝達部材３０Ａによる押し込み操作が解除されるため、開閉弁２０は開状態から閉状態へ自動的に復帰できる。
【００３９】
図１１は第２の変形例を模式的に示した説明図である。図示するように、第２の変形例に係る飲料容器１Ｂには、ストローキャップ９Ｂをロックするためのロック機構１５Ｂが設けられており、そのロック機構１５Ｂは図示のロック位置と解除位置との間で回転動作可能な状態でストローアダプタ３Ｂに取り付けられたロック部材１６Ｂを有している。ロック機構１５Ｂは、ロック部材１６Ｂがロック位置にあるときに、ロック部材１６Ｂとストローキャップ９Ｂとを噛み合わせる拘束部１７Ｂと、ロック部材１６Ｂをロック位置側に付勢するリターンばね１８Ｂとを備えている。ロック部材１６Ｂにはその回転中心部から下方に延びる伝達部材３０Ｂが一体に設けられている。従って、飲料容器１Ｂは、ロック部材１６Ｂが矢印方向に回転して解除位置に達すると、伝達部材３０Ｂが開閉弁２０の弁体２１を弾性変形させることができる。そして、ロック部材１６Ｂが解除位置まで動作することによって、ストローキャップ９Ｂの拘束が解かれるので、ストローキャップ９Ｂを開位置の側に動作させることができる。ストローキャップ９Ｂが開位置に位置した状態でロック部材１６Ｂはリターンばね１８Ｂにより図示の位置に戻されるので、伝達部材３０Ｂが開閉弁２０から離間する。これにより、開閉弁２０の弁体２１に対する伝達部材３０Ｂによる押し込み操作が解除されるため、開閉弁２０は開状態から閉状態へ自動的に復帰できる。
【００４０】
図１２は第３の変形例を模式的に示した説明図である。図示するように、第３の変形例に係る飲料容器１Ｃには、ストローキャップ９Ｃをロックするためのロック機構１５Ｃが設けられており、そのロック機構１５Ｃは図示のロック位置と解除位置との間で回転動作可能な状態でストローキャップ９Ｃに取り付けられたロック部材１６Ｃを有している。ロック機構１５Ｃは、ロック部材１６Ｃがロック位置にあるときに、ロック部材１６Ｃとストローアダプタ３Ｃとを噛み合わせる拘束部１７Ｃと、ロック部材１６Ｃをロック位置側に付勢するリターンばね１８Ｃとを備えている。ロック部材１６Ｃにはその回転中心部から下方に延びる伝達部材３０Ｃが一体に設けられている。従って、飲料容器１Ｃは、ロック部材１６Ｃが矢印方向に回転して解除位置に達すると、伝達部材３０Ｃが開閉弁２０の弁体２１を弾性変形させることができる。そして、ロック部材１６Ｃが解除位置まで動作することによって、ストローキャップ９Ｃの拘束が解かれるので、ストローキャップ９Ｃを開位置の側に動作させることができる。ストローキャップ９Ｃが開位置に位置した状態でロック部材１６Ｃはリターンばね１８Ｃにより元の位置に戻されるので、伝達部材３０Ｃが開閉弁２０から離間する。これにより、伝達部材３０Ｃによる開閉弁２０の弁体２１に対する押し込み操作が解除されるため、開閉弁２０は開状態から閉状態へ自動的に復帰できる。
【００４１】
図１３は第４の変形例を模式的に示した説明図である。この図には上方から見た状態が示されている。第４の変形例に係る飲料容器１Ｄは、ストローキャップ９Ｄをロックするためのロック機構１５Ｄが設けられており、そのロック機構１５Ｄが持っているロック部材１６Ｄの回転軸線方向が第２及び第３の変形例とは異なっている。即ち、ロック部材１６Ｄは、その回転軸線方向が飲料容器１Ｄの上下方向に設定されていて、図示のロック位置から解除位置まで回転動作可能な状態でストローアダプタ３Ｄに取り付けられている。ロック機構１５Ｄは、ロック部材１６Ｄがロック位置にあるときに、ロック部材１６Ｄとストローキャップ９Ｄとを噛み合わせる拘束部１７Ｄと、ロック部材１６Ｄをロック位置側に付勢するリターンばね１８Ｄとを備えている。ロック部材１６Ｄにはその回転中心部から右方向に延びる伝達部材３０Ｄが一体に設けられている。従って、飲料容器１Ｄは、ロック部材１６Ｄが矢印方向に回転して解除位置に達すると、伝達部材３０Ｄが開閉弁２０の弁体２１を弾性変形させることができる。そして、ロック部材１６Ｄが解除位置まで動作することによって、ストローキャップ９Ｄの拘束が解かれるので、ストローキャップ９Ｄを開位置の側に動作させることができる。ストローキャップ９Ｄが開位置に位置した状態でロック部材１６Ｄはリターンばね１８Ｄにより図示の位置に戻されるので、伝達部材３０Ｄが開閉弁２０から離間する。これにより、伝達部材３０Ｄによる開閉弁２０の弁体２１に対する押し込み操作が解除されるため、開閉弁２０は開状態から閉状態へ自動的に復帰できる。この変形例においては、ロック部材１６Ｄがストローキャップ９Ｄ側に設けられるように更に変更することも可能ある。
【００４２】
図１４は第５の変形例を模式的に示した説明図である。図示するように、第５の変形例に係る飲料容器１Ｅには、ストローキャップ９Ｅをロックするためのロック機構１５Ｅが設けられており、そのロック機構１５Ｅは図示のロック位置と解除位置との間でスライド動作可能な状態でストローアダプタ３Ｅに取り付けられたロック部材１６Ｅを有している。ロック機構１５Ｅは、ロック部材１６Ｅがロック位置にあるときに、ロック部材１６Ｅとストローキャップ９Ｅとを噛み合わせる拘束部１７Ｅと、ロック部材１６Ｅをロック位置側に付勢するリターンばね１８Ｅとを備えている。開閉弁２０Ｅは、上記各例とは異なり弁体２１Ｅがストローアダプタ３Ｅから長く延びており、ロック部材１６Ｅと一体移動可能にロック部材１６Ｅに取り付けられている。そして、ストローアダプタ８Ｅには弁体２１Ｅに隣接するようにして上方に突出する伝達部材３０Ｅが設けられている。従って、飲料容器１Ｅは、ロック部材１６Ｅが矢印方向に動作されて解除位置に達すると、ロック部材１６Ｅとともに弁体２１Ｅが移動して伝達部材３０Ｅに突き当たるので、弁体２１Ｅに対する押し込み操作が伝達部材３０Ｅにて加えられ弁体２１Ｅが弾性変形する。そして、ロック部材１６Ｅが解除位置まで動作することによって、ストローキャップ９Ｅの拘束が解かれるので、ストローキャップ９Ｅを開位置の側に動作させることができる。ストローキャップ９Ｅが開位置に位置した状態で、ロック部材１６Ｅはリターンばね１８Ｅにより、又はロック部材１６Ｅがストローキャップ９Ｅとともに上方へ移動さうることにより、伝達部材３０Ｅが開閉弁２０Ｅから離間する。これにより、伝達部材３０Ｅによる弁体２１Ｅに対する押し込み操作が解除されるため、開閉弁２０Ｅは開状態から閉状態へ自動的に復帰できる。
【００４３】
図１〜図９に示した形態及び図１０〜図１４に示した各変形例に係る開閉弁は、弾性材料で構成された弁体を有し、その弁体の弾性変形を利用して閉状態と開状態とを変更するものである。しかしながら、図１５に示すような構造の開閉弁により本発明を実施することもできる。図１５は開閉弁の他の形態を示した説明図である。図示の開閉弁５０は、容器本体２の内外を仕切る仕切板５１と、その仕切板５１と密着しながら図の左右方向に移動可能な状態で設けられた移動弁体５２と、移動弁体５２を図示の位置側に付勢するリターンばね５３と、移動弁体５３の移動を規制するストッパ５４とを備えている。仕切板５１の中央には移動弁体５２にて塞がれ得る大きさの貫通孔５１ａが形成されている。また、移動弁体５２には仕切板５１の貫通孔５１ａよりも大きな貫通孔５２ａが形成されている。
【００４４】
図示の状態においては、仕切板５１の貫通孔５１ａの位置と移動弁体５２の貫通孔５２ａの位置とが互いにずれていて、仕切板５１の貫通孔５１ａが移動弁体５２にて塞がれている。そのため、開閉弁５０は容器本体２の内外を閉鎖する閉状態となる。図示の状態から、移動弁体５２が矢印方向に押し込み操作されると、各貫通孔５１ａ、５２ａの位置が一致するため容器本体２の内外が連通して閉状態から開状態へ移行する。開状態に移行した状態で移動弁体５２に対する押し込み操作が解除されると、移動弁体５２がリターンばね５３により図示の位置に復帰する。そのため、開閉弁５０は押し込み操作の解除とともに開状態から閉状態に自動的に復帰できる。
【００４５】
上述した図１〜図９に示した形態及び図１０〜図１４に示した各変形例に係る開閉弁を図１５に示した開閉弁５０に置き換えても、その開閉弁５０に対して各伝達部材にて所定操作である押し込み操作を加えることができる。このため、開閉弁５０を利用した飲料容器は上記形態及び各変形例の飲料容器と同等に機能する。
【００４６】
開閉弁に加える所定操作は開閉弁の構成に応じて適宜に決まるものである。従って、例えば何らかの部材を引っ張ることにより閉状態から開状態へ移行する開閉弁の場合は引っ張り操作が所定操作に該当する。また、何らかの部材を回転させることにより閉状態から開状態へ移行する開閉弁の場合は回転操作が所定操作に該当する。
【符号の説明】
【００４７】
１、１Ａ〜１Ｅ  飲料容器
２  容器本体
２ａ  開口部
３、３Ａ〜３Ｅ  ストローアダプタ
６  ストロー
７  吸い口部
９、９Ａ〜９Ｅ  ストローキャップ
１０  支持軸
１５、１５Ａ〜１５Ｅ  ロック機構
１６、１６Ａ〜１６Ｅ  ロック部材
２０、２０Ｅ、５０  開閉弁
２１、２１Ｅ  弁体
２５  板部
２６  保持部
２７  スリット
３０、３０Ａ〜３０Ｅ  伝達部材
【図１】
2011057250.tif 000003
【図２】
2011057250.tif 000004
【図３Ａ】
2011057250.tif 000005
【図３Ｂ】
2011057250.tif 000006
【図４Ａ】
2011057250.tif 000007
【図４Ｂ】
2011057250.tif 000008
【図５Ａ】
2011057250.tif 000009
【図５Ｂ】
2011057250.tif 000010
【図６】
2011057250.tif 000011
【図７】
2011057250.tif 000012
【図８】
2011057250.tif 000013
【図９】
2011057250.tif 000014
【図１０】
2011057250.tif 000015
【図１１】
2011057250.tif 000016
【図１２】
2011057250.tif 000017
【図１３】
2011057250.tif 000018
【図１４】
2011057250.tif 000019
【図１５】
2011057250.tif 000020